(57)【要約】【課題】壁面へ固定され且つ正面側に支持フック３３が突設された本体支持具３と、支持フック３３へ係合されるリモコン本体２とを具備し、リモコン本体２を本体支持具３の正面に沿って初期位置から最終位置へ摺動させることで、支持フック３３に先端側からリモコン本体２が係合するように構成されたリモコン１において、リモコン１を壁面へ取り付ける際の作業効率の向上を図る。【解決手段】リモコン本体２と本体支持具３との対向部のいずれか一方に係合部２５０を備えた弾性部材２５を設けるとともに、他方に被係合部３５０を設け、リモコン本体２が前記最終位置まで摺動する途中で弾性部材２５に弾性変形が生じることによって、最終位置で係合部２５０と被係合部３５０とが係合し、前記初期位置への逆摺動が阻止されること。【選択図】図１
2008125056.tif 000002
【特許請求の範囲】
【請求項１】
壁面へ固定され且つ正面側に支持フックが突設された本体支持具と、前記支持フックへ係合されるリモコン本体とを具備し、
リモコン本体を本体支持具の正面に沿って初期位置から最終位置へ摺動させることで、前記支持フックに先端側からリモコン本体が係合するように構成されたリモコンにおいて、
リモコン本体と本体支持具との対向部のいずれか一方に係合部を備えた弾性部材を設けるとともに、他方に被係合部を設け、
リモコン本体が前記最終位置まで摺動する途中で弾性部材に弾性変形が生じることによって、最終位置で係合部と被係合部とが係合し、前記初期位置への逆摺動が阻止されることを特徴とする、リモコン。
【請求項２】
請求項１に記載のリモコンにおいて、
前記弾性部材は、リモコン本体側の対向部に設けられた片持ち梁状の板バネ片であることを特徴とする、リモコン。
【請求項３】
請求項１に記載のリモコンにおいて、
前記弾性部材は、本体支持具側の対向部に設けられた片持ち梁状の板バネ片であることを特徴とする、リモコン。
【発明の詳細な説明】
【技術分野】
【０００１】
本発明は、リモコン、特に、台所や浴室等の壁面へ設置されるリモコンの取り付け構造に関するものである。
【背景技術】
【０００２】
給湯器や風呂装置等を遠隔操作する従来のリモコンの取り付け構造として、台所や浴室等の壁面へ固定した取付プレートへリモコン本体を引掛け、さらにネジ留めして固定するものが知られている（例えば、特許文献１参照）。
図６は、上記従来のリモコンとして例示する給湯器用のリモコン６の一部分解斜視図であり、操作ボタンＳＷの操作情報を給湯器（図示しない）側へ伝送する制御基板ＣＵと、制御基板ＣＵを収容するリモコン本体７と、リモコン本体７を壁面へ固定する取付プレート８とを備えている。
【０００３】
リモコン本体７は、操作ボタンＳＷや表示装置が配設される前カバー７０と、前カバー７０の背面開口部を覆うベース盤７１と、前カバー７０の正面側を覆う化粧カバー７２とを備えており、上記ベース盤７１の背面には、後述する支持フック８３を嵌挿させるフック挿通孔７３が複数開設されている。
【０００４】
また、上記前カバー７０およびベース盤７１によって、制御基板ＣＵを収容するケーシング７００が構成されており、このケーシング７００には、前カバー７０の正面側からベース盤７１の背面側へ貫通する本体固定用のネジ挿通孔７４が複数開設されている。
【０００５】
一方、取付プレート８は、プレート固定用の複数のネジ挿通孔８１と、正面側上方へ延びるかぎ状の支持フック８３と、ネジ孔８４を有する支持舌片８５とを備えている。
取り付け手順としては、まず、取付プレート８をプレート固定用ネジＮ１で壁面へ固定する。
【０００６】
次に、取付プレート８正面の支持フック８３がベース盤７１背面のフック挿通孔７３へ挿入されるように、ケーシング７００を取付プレート８の正面へ重ね合わせ、その初期位置から下方の最終位置へ摺動させる。その結果、フック挿通孔７３へ支持フック８３が先端側から係合し、ケーシング７００を支持する。
【０００７】
さらに、ケーシング７００のネジ挿通孔７４から、その背面側に位置する支持舌片８５のネジ孔８４へ本体固定用ネジＮ２を螺入し、ケーシング７００を取付プレート８へ固定する。
【０００８】
そして、化粧カバー７２をケーシング７００の正面側に嵌め合わせて、リモコン６の壁面への取り付け作業が完了する。
このものでは、ケーシング７００をその正面側から本体固定用ネジＮ２を用いて取付プレート８へ固定するから、ケーシング７００の上方や側方からネジ留めするものに比べて、取り付けやすい。また、ケーシング７００を固定する本体固定用ネジＮ２が化粧カバー７２によって覆われ、リモコン６の表面に現れないから、その美的外観も損なわない。
【特許文献１】特開平１０−５１８７１号公報（第１〜８頁）
【発明の開示】
【発明が解決しようとする課題】
【０００９】
しかしながら、上記従来のリモコン６では、取り付けの際、取付プレート８を壁面へ固定し、ケーシング７００をその取付プレート８へ引掛ける作業に加えて、ケーシング７００を本体固定用ネジＮ２で取付プレート８に固定する作業が必要であるから、作業効率が悪かった。
【００１０】
本発明は係る点に鑑みてなされたもので、
『壁面へ固定され且つ正面側に支持フックが突設された本体支持具と、前記支持フックへ係合されるリモコン本体とを具備し、
リモコン本体を本体支持具の正面に沿って初期位置から最終位置へ摺動させることで、前記支持フックに先端側からリモコン本体が係合するように構成されたリモコン』において、リモコンを壁面へ取り付ける際の作業効率の向上を図ることを課題とする。
【課題を解決するための手段】
【００１１】
上記課題を解決するための本発明の技術的手段は、
『リモコン本体と本体支持具との対向部のいずれか一方に係合部を備えた弾性部材を設けるとともに、他方に被係合部を設け、
リモコン本体が前記最終位置まで摺動する途中で弾性部材に弾性変形が生じることによって、最終位置で係合部と被係合部とが係合し、前記初期位置への逆摺動が阻止されることを特徴とする』ものである。
上記技術的手段によれば、リモコン本体を本体支持具の正面に沿ってその支持フックと係合する最終位置まで摺動させる途中、リモコン本体と本体支持具との対向部のいずれか一方に設けられた弾性部材に弾性変形が生じ、最終位置ではその弾性部材の復元作用によって係合部および被係合部が係合される。その結果、リモコン本体が初期位置への逆摺動を阻止された状態で本体支持具に固定される。
【００１２】
即ち、リモコン本体を本体支持具へ固定する作業が、リモコン本体を本体支持具の支持フックへ係合させる作業と一連で行われる。
従って、本体支持具を壁面へ固定し、その本体支持具の支持フックへリモコン本体を係合させるだけで、リモコンを壁面へ固定することが可能である。
【００１３】
請求項２に係る発明の技術的手段は、
前記請求項１において、
『前記弾性部材は、リモコン本体側の対向部に設けられた片持ち梁状の板バネ片であることを特徴とする』ものである。
このものでは、上記弾性部材は、リモコン本体側の対向部に設けられた片持ち梁状の板バネ片であり、その自由端側を本体支持具側の対向部から離反する方向へ撓ませることで、係合部および被係合部の係合状態を解除できる。
【００１４】
請求項３に係る発明の技術的手段は、
前記請求項１において、
『前記弾性部材は、本体支持具側の対向部に設けられた片持ち梁状の板バネ片であることを特徴とする』ものである。
このものでは、上記弾性部材は、本体支持具側の対向部に設けられた片持ち梁状の板バネ片であり、その自由端側をリモコン本体側の対向部から離反する方向へ撓ませることで、係合部および被係合部の係合状態を解除できる。
【発明の効果】
【００１５】
本発明は、上記構成であるから次の特有の効果を有する。
本体支持具を壁面へ固定する作業と、リモコン本体を本体支持具の支持フックへ係合させる作業を行えば、リモコンを壁面へ固定することが可能であるから、その取り付け作業にかかる手間が軽減され、作業効率が向上する。
【００１６】
請求項２および３に係る発明では、板バネ片の自由端側を指や工具等を用いて撓ませ、この状態で、リモコン本体を本体支持具の正面に沿ってその支持フックと係合しない初期位置へ摺動させれば、リモコン本体を本体支持具から取り外すことが可能であるから、上記請求項１の効果に加えて、その交換やメンテナンスを行う際の作業効率も向上する。
【発明を実施するための最良の形態】
【００１７】
次に、上記した本発明を実施するための最良の形態について、添付図面を参照しながら詳述する。
図１は、本発明の実施の形態に係るリモコン１の一部分解斜視図であり、図２は、後述する連結片２５および支持舌片３５近傍の断面構造を示す斜視図である。以下、各部の詳細について図１および図２に従って説明する。
【００１８】
図１に示すリモコン１は、給湯器を遠隔操作するものであり、操作ボタンＳＷの操作情報を給湯器（図示しない）側へ伝送する制御基板ＣＵと、制御基板ＣＵを収容するリモコン本体２と、リモコン本体２を壁面へ固定する取付プレート３とを備えている。尚、図示しないが、上記制御基板ＣＵが給湯器へ電気的に接続される。
【００１９】
［リモコン本体２について］
リモコン本体２は、背面側が開放した略矩形箱状の前カバー２０と、その背面側の開放部を覆うベース盤２１とを備えており、それら前カバー２０およびベース盤２１の合わせ面相互は、取り外し可能な状態で嵌合されている。尚、上記前カバー２０の前面側には、給湯器を遠隔操作する操作ボタンＳＷや、給湯器の運転状態を表示する表示装置（図示しない）が配設されている。
【００２０】
また、上記ベース盤２１の裏板２１０には、後述する支持フック３３を嵌挿させる四つのフック挿通孔２３と、後述する支持舌片３５に当接する連結片２５とが一体的に形成されている。
【００２１】
上記フック挿通孔２３は、ベース盤２１の背面側からリモコン本体２の内部空間へ繋がる縦長の貫通孔であり、取付プレート３に形成された四つの支持フック３３（後述する）に対応する位置に開設されている。
【００２２】
上記連結片２５は、裏板２１０の上部中央に逆Ｕ字状の切り込み２１１を形成することで片持ち梁状に構成されたバネ性を有する細幅の板片であり、ベース盤２１の前後方向への可撓性が高くなるように形成されている。
さらに、連結片２５の背面部２５１の中央には、断面略三角形状に突出する爪部２５０が形成されている。
【００２３】
また、ベース盤２１の裏板２１０の外周には、リモコン本体２を取付プレート３へ取り付けた際に、その取付プレート３の外周を覆う環状リブ２１２が形成されており、環状リブ２１２の上辺中央を含むベース盤２１上面の背面側中央域、即ち、連結片２５の上域には、上記爪部２５０と後述する爪受け孔３５０との係合状態を解除させる際に、指や工具等を差し込むためのロック解除孔２１３が開設されている。
【００２４】
［取付プレート３について］
一方、取付プレート３は、ステンレスや鉄等の金属素材で形成された厚肉の板状体であり、プレート固定用ネジＮ１の取り付け部としての二つのネジ挿通孔３１と、上記リモコン本体２のフック挿通孔２３へ嵌挿させる四つの支持フック３３と、リモコン本体２の裏板２１０に当接される支持舌片３５とが一体的に形成されている。
【００２５】
上記支持フック３３は、取付プレート３の正面上方へ立ち上がる略Ｌ字状の板片であり、取付プレート３の左端上下および右端上下の四箇所に配設されている。
上記支持舌片３５は、取付プレート３の中央上端から上方へ突出した上記連結片２５より幅広の板片である。この支持舌片３５の幅寸法は、上記連結片２５の幅寸法より大きく形成されており、その正面部３５１がベース盤２１の裏板２１０および連結片２５の背面部２５１へ当接する。
【００２６】
また、上記支持舌片３５の中央には、連結片２５の爪部２５０を嵌挿させる矩形状の爪受け孔３５０が開設されている。この爪受け部３５０の幅寸法は、上記爪部２５０の幅寸法と略同一に形成されている。
尚、上記「取付プレート３」が、既述請求項１の発明特定事項としての「本体支持具」に対応し、上記「連結片２５」が、既述請求項１の発明特定事項としての「弾性部材」および既述請求項２の発明特定事項としての「板バネ片」に対応する。また、上記「爪部２５０」が、既述請求項１の発明特定事項としての「係合部」に対応し、上記「爪受け孔３５０」が、既述請求項１の発明特定事項としての「被係合部」に対応する。
【００２７】
［リモコン１の取り付け手順］
次に、上記リモコン１を壁面へ取り付ける際の手順を説明する。
まず、ねじ回しを用いて、取付プレート３を二つのプレート固定用ネジＮ１で台所や浴室等の壁面へ固定する。
【００２８】
そして、取付プレート３の四つの支持フック３３がリモコン本体２の四つのフック挿通孔２３へ挿入されるように、リモコン本体２を取付プレート３の正面に重ね合わせると、取付プレート３の正面にベース盤２１の裏板２１０が密着するとともに、支持舌片３５の正面部３５１がベース盤２１の裏板２１０および連結片２５の背面部２５１に当接される。
【００２９】
さらに、その初期位置から取付プレート３の正面に沿って下方の最終位置側へリモコン本体２を摺動させると、支持フック３３の先端の立ち上がり部が裏板２１０内面側のフック挿通孔２３上方へ嵌挿されるとともに、連結片２５の係合部２５０が支持舌片３５の正面部３５１へ乗り上げた状態になり、連結片２５を一旦取付プレート３の正面から離反する方向（前カバー２０側）へ撓ませる。そして、最終位置では、連結片２５が撓んだ状態からその弾性力によって元の弾性変形していない状態まで復元され、その爪部２５０を支持舌片３５の爪受け孔３５０へ嵌入（図２（ａ）および（ｂ）参照）させる。
【００３０】
即ち、上記フック挿通孔２３を支持フック３３の先端側から係合させるように、リモコン本体２を取付プレート３へ引掛ければ、連結片２５に生じた弾性変形の復元作用によって、上記爪部２５０と爪受け孔３５０とが係合する。
【００３１】
その結果、リモコン本体２が初期位置の方向（以下、「取り外し方向」という）へ逆摺動するのを阻止された抜け止め状態で取付プレート３へ固定され、リモコン１の壁面への取り付け作業が完了する。
【００３２】
このように、上記リモコン１では、壁面へ取り付ける際、ネジ回しを用いて取付プレート３を壁面へ固定し、リモコン本体２を取付プレート３へその支持フック３３の先端側から引掛けるように組み付けるだけで、リモコン本体２が取付プレート３に対して抜け止め状態で固定されるから、既述従来のリモコンのように、リモコン本体を取付プレートへネジ留めする必要がない。従って、その取り付け作業にかかる手間が軽減され、作業効率が格段に向上する。
【００３３】
また、リモコン本体２は、取付プレート３に対して四つの支持フック３３と支持舌片３５とその爪受け孔３５０によって、前後上下左右方向へのがたつきが抑制されるから、取り付け状態が良好である。
【００３４】
さらに、リモコン本体２を取付プレート３へネジ留めする構成や、そのネジを化粧カバーで隠蔽する構成を採用しなくて良いから、リモコン１の全体構成の簡略化も図ることが可能である。
【００３５】
［リモコン本体２の取り外し手順］
一方、リモコン本体２を取付プレート３から取り外す場合は、ベース盤２１上面のロック解除孔２１３から、連結片２５の自由端側と壁面との間隙に指や工具等を差し込み、連結片２５を取付プレート３正面の支持舌片３５の正面部３５１から離反する方向（前カバー２０側）へ撓ませる。その結果、上記爪部２５０と爪受け孔３５０との係合状態が解除される。
【００３６】
そして、この状態でリモコン本体２を取り外し方向へ逆摺動させれば、上記フック挿通孔２３と支持フック３３との係合状態が解除され、リモコン本体２を取付プレート３から取り外すことが可能になる。
【００３７】
このように、連結片２５の自由端側を取付プレート３の正面から離反する方向（前カバー２０側）へ撓ませれば、爪部２５０と爪受け孔３５０との係合状態が解除され、リモコン本体２を取付プレート３から取り外すことができるから、既述従来のリモコンのように、リモコン本体と取付プレートとを固定しているネジを取り外すといった作業を行う必要がない。従って、その取り外しにかかる手間が軽減され、リモコン本体２のメンテナンスや交換を行う際の作業効率が向上する。
【００３８】
［その他］
上記第１の実施形態では、リモコン本体２の連結片２５に爪部２５０を設け、取付プレート３の支持舌片３５に爪受け孔３５０を設けたもの（図２（ａ）および（ｂ）参照）を説明したが、図３（ａ）および（ｂ）に示すように、取付プレート３Ａの支持舌片３５Ａに半抜き加工によって切り起こし状の爪部３５０Ａを形成し、リモコン本体２Ａの連結片２５Ａに矩形状の爪受け孔２５０Ａを開設したものであっても良い（第２の実施形態）。
【００３９】
この場合、上記「爪受け孔２５０Ａ」が、既述請求項１の発明特定事項としての「係合部」に対応し、上記「爪部３５０Ａ」が、既述請求項１の発明特定事項としての「被係合部」に対応する。また、上記「取付プレート３Ａ」が、既述請求項１の発明特定事項としての「本体支持具」に対応し、上記「連結片２５Ａ」が、既述請求項１の発明特定事項としての「弾性部材」および既述請求項２の発明特定事項としての「板バネ片」に対応する。
【００４０】
一方、上記第１の実施形態における取付プレート３に代えて、図４（ａ）および（ｂ）に示す取付プレート３Ｂを採用したものであっても良い（第３の実施形態）。
このものでは、支持舌片３５Ｂは、ステンレスや鉄等の金属素材で形成されたバネ性を有する細幅薄肉の板片を取付プレート３Ｂの上端中央に連結することによって片持ち梁状に構成したものであり、取付プレート３Ｂの前後方向への可撓性が高くなるように形成されている。
【００４１】
また、この支持舌片３５Ｂの中央には、絞り加工によって半球面状の爪部３５０Ｂが形成されている。
ベース盤２１Ｂの裏板２１０Ｂには、上記第１の実施形態におけるリモコン本体２の連結片２５に相当する板バネ片は形成されておらず、上記支持舌片３５Ｂの爪部３５０Ｂに対応する位置に、上記爪部３５０Ｂを嵌挿させる矩形状の爪受け孔２５０Ｂが開設されている。
【００４２】
さらに、ベース盤２１Ｂの裏板２１０Ｂの外周には、上記第１の実施形態におけるベース盤２１と同様、環状リブ２１２Ｂが形成されており、環状リブ２１２Ｂの上辺中央を含むベース盤２１Ｂ上面の背面側中央域、即ち、爪受け孔２５０Ｂの上域には、その爪受け孔２５０Ｂと上記爪部３５０Ｂとの係合状態を解除させる際に、指や工具等を差し込むためのロック解除孔２１３Ｂが形成されている。
【００４３】
また、上記支持舌片３５Ｂは、このロック解除孔２１３Ｂの上端開口部の近傍まで突出する長さに形成されている。
このものでは、上記第１の実施形態と同様に、リモコン本体２Ｂを取付プレート３Ｂへ引掛ければ、支持舌片３５Ｂが一旦リモコン本体２Ｂ背面の裏板２１０Ｂから離反する方向（壁面側）へ撓んだ後、その復元作用によって爪部３５０Ｂが上記裏板２１０Ｂの爪受け孔２５０Ｂへ嵌入される。その結果、リモコン本体２Ｂが取り外し方向へ逆摺動するのを阻止された状態で取付プレート３Ｂへ固定される。
【００４４】
また、支持舌片３５Ｂの自由端側とベース盤２１Ｂとの間隙に指や工具等を差し込み、支持舌片３５Ｂをベース盤２１Ｂの裏板２１０Ｂから離反する方向（壁面側）へ撓ませれば、爪部３５０Ｂと爪受け孔２５０Ｂとの係合状態が解除される。その結果、リモコン本体２Ｂを取付プレート３Ｂから取り外すことが可能になる。
これにより、上記第１の実施形態と同様の効果が発揮される。
【００４５】
尚、上記「取付プレート３Ｂ」が、既述請求項１の発明特定事項としての「本体支持具」に対応し、上記「支持舌片３５Ｂ」が、既述請求項１の発明特定事項としての「弾性部材」および既述請求項３の発明特定事項としての「板バネ片」に対応する。また、上記「爪部３５０Ｂ」が、既述請求項１の発明特定事項としての「係合部」に対応し、上記「爪受け孔２５０Ｂ」が、既述請求項１の発明特定事項としての「被係合部」に対応する。
【００４６】
さらに、上記第３の実施形態では、取付プレート３Ｂの支持舌片３５Ｂに爪部３５０Ｂを設け、リモコン本体２Ｂの裏板２１０Ｂに爪受け孔３５０Ｂを設けたもの（図４（ａ）および（ｂ）参照）を説明したが、図５（ａ）および（ｂ）に示すように、リモコン本体２Ｃの裏板２１０Ｃに断面略三角形状に突出する爪部２５０Ｃを形成し、取付プレート３Ｃの上端中央に連結された支持舌片３５Ｃに矩形状の爪受け孔３５０Ｃを開設したものであっても良い（第４の実施形態）。
【００４７】
この場合、上記「爪受け孔３５０Ｃ」が、既述請求項１の発明特定事項としての「係合部」に対応し、上記「爪部２５０Ｃ」が、既述請求項１の発明特定事項としての「被係合部」に対応する。また、上記「取付プレート３Ｃ」が、既述請求項１の発明特定事項としての「本体支持具」に対応し、上記「支持舌片３５Ｃ」が、既述請求項１の発明特定事項としての「弾性部材」および既述請求項３の発明特定事項としての「板バネ片」に対応する。
【００４８】
上記第１から第４の実施形態において、爪部２５０，３５０Ａ，３５０Ｂ，２５０Ｃおよび爪受け孔３５０，２５０Ａ，２５０Ｂ，３５０Ｃは、それぞれリモコン本体２，２Ａ，２Ｂ，２Ｃおよび取付プレート３，３Ａ，３Ｂ，３Ｃの対向する上部中央に設けられているが、リモコン本体が取り外し方向へ逆摺動するのを阻止する構成であれば、下部中央に設けても良いし、縦中心線から左右に偏心した上部もしくは下部位置に設けても良いし、複数個所に設けても良い。
【００４９】
また、爪受け孔３５０，２５０Ａ，２５０Ｂ，３５０Ｃは、矩形状の貫通孔として説明したが、爪部２５０，３５０Ａ，３５０Ｂ，２５０Ｃと嵌合可能な形状であれば、窪み形状であっても良いし、突起形状であっても良い。
【００５０】
尚、第１の実施形態で説明したリモコン１のように、係合部と被係合部とが係合する最終位置では、板バネ片が弾性変形していない状態まで復元されるものでは、その板バネ片の経年変化による弾性力の低下を抑制できるが、上記最終位置において、板バネ片がその対向部に若干弾性変形した状態で当接されるものであっても良い。このものでは、板バネ片によってリモコン本体と本体支持具とが常時離反させる方向へ押圧されるから、それらリモコン本体および本体支持具相互のがたつきを抑制できる。
【図面の簡単な説明】
【００５１】
【図１】本発明の第１の実施形態に係るリモコン１の一部分解斜視図
【図２】本発明の第１の実施形態に係るリモコン１の連結片２５および支持舌片３５近傍の断面構造を示す斜視図
【図３】本発明の第２の実施形態に係るリモコン１Ａの連結片２５Ａおよび支持舌片３５Ａ近傍の断面構造を示す斜視図
【図４】本発明の第３の実施形態に係るリモコン１Ｂの支持舌片３５Ｂ近傍の断面構造を示す斜視図
【図５】本発明の第４の実施形態に係るリモコン１Ｃの支持舌片３５Ｃ近傍の断面構造を示す斜視図
【図６】従来のリモコン６の一部分解斜視図
【符号の説明】
【００５２】
１・・・リモコン
２・・・リモコン本体
２５・・・弾性部材
２５０・・・係合部
３・・・本体支持具
３３・・・支持フック
３５０・・・被係合部
【図１】
2008125056.tif 000003
【図２】
2008125056.tif 000004
【図３】
2008125056.tif 000005
【図４】
2008125056.tif 000006
【図５】
2008125056.tif 000007
【図６】
2008125056.tif 000008